(57)【要約】      （修正有）【課題】誰でもより簡単に炭焼を行えるようにする。【解決手段】ステンレス材を用いて下端を開放した略逆容器状に形成され、その周面に焚き口３を、周面又は上面に煙突４を夫々備えた炭焼窯１。【選択図】図１
0003117954.tif 000002
【実用新案登録請求の範囲】
【請求項１】
移動可能な炭焼窯であって、ステンレス材を用いて下端を開放した略逆容器状に形成され、その周面に焚き口を、周面又は上面に煙突を夫々備えた炭焼窯とし、当該炭焼窯は、その下端開放部をあらかじめ地面に確保した炭材載置面に載置された炭材の直上から、当該炭材に被せるように設置するものであることを特徴とする炭焼窯。
【請求項２】
炭焼窯の形状が略円筒状であることを特徴とする請求項１に記載の炭焼窯。
【請求項３】
炭焼窯の周面又は上面にフック部が備えられていることを特徴とする請求項１又は請求項２に記載の炭焼窯。
【考案の詳細な説明】
【技術分野】
【０００１】
本考案は、炭焼窯に関し、詳しくは、移動可能、且つ簡易的な炭焼窯に関する。
【背景技術】
【０００２】
従来の炭焼窯としては、耐熱煉瓦や耐熱金属等を用いてなる据付型や車輪等を備えた移動型が周知である。
又、前記従来の移動型の炭焼窯は、周囲面及び上下面が閉塞された中空状のものであり、その周囲面や上面に焚き口や煙突が設けられ、当該焚き口から炭材の出し入れや火入れを行うようになっているものや、窯内部に燃料により着火するバーナーを備えたもの等が周知である。
【考案の開示】
【考案が解決しようとする課題】
【０００３】
ところで、前記従来の移動型の炭焼窯は、据付型の炭焼窯に比べてその移動可能であるという機能から、場所的な限定が少なく、誰でも簡単に炭焼が行えるという利点があるが、最近では、更に、簡単に炭焼を行えるようにすることが望まれている。
そこで、本願出願人は、更に、簡単に炭焼を行うという観点から、鋭意研究の結果、本願考案に至ったものである。
なお、本願考案に関する先行技術文献情報については、本願出願人の知る限りにおいて存在していない。
【０００４】
そこで本考案は、誰でもより簡単に炭焼を行えるようにすることを課題とし、この課題を解決した炭焼窯の提供を目的とする。
【課題を解決するための手段】
【０００５】
本考案は、上記目的を達成するために下記の技術的手段を採用した。
その第１考案は、移動可能な炭焼窯であって、ステンレス材を用いて下端を開放した略逆容器状に形成され、その周面に焚き口を、周面又は上面に煙突を夫々備えた炭焼窯とし、当該炭焼窯は、その下端開放部をあらかじめ地面に確保した炭材載置面に載置された炭材の直上から、当該炭材に被せるように設置するものであることを特徴とする炭焼窯にしたことである。
【０００６】
ここで云う炭材載置面とは、例えば、地面を直接平らに整地して形成したものや、地面に火山灰や砂を撒いてこれら火山灰や砂を平らに整地して形成した面、あるいは地面や前記火山灰や砂を整地して形成した面に耐熱煉瓦、素焼き土管等を凹凸なく平に並べて形成した面等であって、炭焼時に発生する熱により変形したり、崩れたりするようなことがないようにした面である。
【０００７】
又、炭焼窯内部の温度を平均化して木炭の品質を一定化するという観点から、第２考案のように、炭焼窯の形状が略円筒状であることを特徴とする炭焼窯にすることが好ましい。
【０００８】
又、炭焼窯の設置及び撤収を更に容易にするという観点から、第３考案のように炭焼窯の周面又は上面にフック部が備えられていることを特徴とする炭焼窯にすることが好ましい。
【考案の効果】
【０００９】
本考案の炭焼窯によれば、以上の構成により、以下の優れた効果が期待できる。
第１考案によれば、略逆容器状に形成されて載置された炭材に被せるようにして設置するものであるので、誰でもより簡単に炭焼を行うことができ、その上、炭焼する場所的な限定もより少ないものであり、しかも、構造も簡単なものであるので、より安価に提供することができる。
【００１０】
又、第２考案によれば、炭焼窯内部の温度が平均化されることにより、木炭の品質を一定化することができる。
【００１１】
更に、第３考案によれば、フック部を持ったり、当該フック部にホイスト装置等の吊り下げ手段やジャッキ等の上下動手段を連結することで、炭焼窯を上下させて炭材に被せたり撤収させたりすることができる。
【考案を実施するための最良の形態】
【００１２】
以下、本考案の炭焼窯を実施するための最良の形態を図面に基づいて説明する。
図中、符号１は炭焼窯、符号２は窯本体、符号３は焚き口、符号４は煙突、符号５はフック部である。
炭焼窯１は、窯本体２の周面に前記焚き口３と、煙突４と、フック部５と、覗き窓６と、温度計嵌合口７とを備えてなる。
【００１３】
窯本体２は、ステンレス材を用いて下端を開放した略円筒状の略逆容器状を呈する形状に形成されている。
又、窯本体２の下端開口部２１の縁部には、その全周に亘って接地板２２が水平方向に突設されていて、当該接地板２２が窯本体２の補強及び設置状態の保持に寄与する。
【００１４】
焚き口３は、前記窯本体２の周面下方に配設された開閉可能な構成を有するものである。
具体的には、ステンレス材を用いて略枠状に形成された枠体３１と、枠体３１の前側開口部３Ａを開閉する開閉扉３２とからなり、前記枠体３１の後側開口部３Ｂを前記窯本体２の周面に開口された開口部２３と連通するように固着することにより、焚き口３を前記窯本体２と一体にしている。
前記開閉扉３２は、前記枠体３１の前側開口部３Ａの図２において左側縁部に対して左右回動可能に連結することによって、前側開口部３Ａを開閉するようにしている。
図中、符号３Ｃは開閉扉３２の開閉操作を行う取っ手、符号３Ｄは開閉扉３２の閉状態保持及び保持解除するロック機構である。
【００１５】
煙突４は、ステンレス材を用いて略Ｌ字状に形成された排気管４１と、当該排気管４１に対して垂直方向に着脱可能に連結される煙突本体４２とから構成されている。
排気管４１は、その水平管部４Ａが前記窯本体２の周面下方に、当該窯本体２の内部と連通するように固定され、垂直管部４Ｂに前記煙突本体４２が嵌合されるようにしている。
フック部５は、略逆向きＵ字状のものであり、前記窯本体２の周面上端の平面視において対面する位置に２個固着されている。
覗き窓６は、耐熱ガラス６１を前記窯本体２の周面上方に開口された窓孔６２に着脱可能に嵌合してなるものである。
温度計嵌合口７は、前記窯本体２の周面、且つ前記覗き窓６付近に開口された小径孔であり、この温度計嵌合口７に温度計(図示せず)が嵌合される。
【００１６】
以下、前記構成の炭焼窯１の使用形態を説明する。
先ず、作業場所を平らに整地して炭材載置面(図示せず)を形成し、この炭材載置面に適当な長さに切断した多数の炭材(図示せず)を立てる。
この場合、炭材が倒れないように確実に立てるために、縄等で縛っておくと良い。
尚、作業場所については、可能な限り水平の場所、且つ周囲に燃え易いものがない場所が好ましい。
【００１７】
次に、炭焼窯１を前記炭材載置面に立てられた炭材に対して上方から被せるようにして設置する。
この炭焼窯１を設置する場合、前記窯本体２における接地板２２と炭材載置面との間に隙間ができないようする。
そして、炭焼窯１を設置した後、前記開閉扉３２を開いて焚き口３を開放して火入れを行い、全体に火が行き渡ったら開閉扉３２を閉じて焚き口３を閉塞する。
又、炭焼時において気温が低い場合には、必要に応じてトタン等で炭焼窯１を囲むように巻き付けても良い。
炭焼時には、温度計嵌合部７に嵌合された温度計を見ながら温度管理をするとともに、覗き窓６から窯内部を見ながら火の回り具合を確認する。
一定時間経過し、炭材が焼けたら、炭焼窯１を上昇させることによって木炭を露出させ、これを回収する。
この一連の炭焼作業が終了した際に、連続して炭焼を行う場合には、前記と同様の作業を行い、撤収する際には、上昇させた炭焼窯１をそのままトラック等の荷台に載せる。  
【００１８】
なお、本願考案は、例示した実施の形態に限定するものではなく、実用新案登録請求の範囲に記載された内容から逸脱することなく、他の構成による実施も可能である。
又、本願考案の炭焼窯は、の大きさは、
【図面の簡単な説明】
【００１９】
【図１】本考案に係る炭焼窯の断面図。
【図２】同、炭焼窯の正面図。
【図３】同、炭焼窯の平面図。
【符号の説明】
【００２０】
１：炭焼窯
２：窯本体
３：焚き口
４：煙突
５：フック部
２１：下端開口部
【図１】
0003117954.tif 000003
【図２】
0003117954.tif 000004
【図３】
0003117954.tif 000005